(57)【特許請求の範囲】
【請求項１】
野菜室内に配されて前後に出し入れされるケースと、
前記ケースの上面を覆うカバーと、
前記カバー上に設けられるとともに冷気が流通する野菜室用冷気通路と、
前記野菜室の背壁の左右方向の略中央に設けられて前記野菜室用冷気通路に冷気を吐出する冷気吐き出し口と、
前記野菜室の後方の左右方向の一端に設けられて前記野菜室用冷気通路を流通する冷気が流入する冷気もどり口と、
前記冷気吐き出し口から前方に延びて前記カバー上に配されるとともに後部で回動自在に支持される風向板と、
を備え、前記風向板の回動によって、前記冷気吐き出し口から吐出される冷気の風向を前記冷気もどり口に近い側と前記冷気もどり口から離れた側とに可変することを特徴とする冷蔵庫。
【請求項２】
前記風向板を前記カバーの前部まで延設し、前記風向板の前端を把持して前記風向板を回動できることを特徴とする請求項１に記載の冷蔵庫。
【請求項３】
前記ケースを左右に分割する隔壁を設けたことを特徴とする請求項１または請求項２に記載の冷蔵庫。
【請求項４】
前記風向板は前記冷気もどり口側の面が凹面から成ることを特徴とする請求項１〜請求項３のいずれかに記載の冷蔵庫。
【請求項５】
前記冷気吐き出し口の前記冷気もどり口側から前方に延びた冷気逃げ防止壁を有するとともに、前記風向板の後端から所定距離離れて前記風向板の回動中心が設けられ、前記風向板を前記冷気もどり口から離れた側に配したときに前記風向板の後端が前記冷気逃げ防止壁に連続して配置されることを特徴とする請求項１〜請求項４のいずれかに記載の冷蔵庫。
【請求項６】
前記風向板を前記冷気もどり口に近い側に配置した際に開いて、前記風向板を前記冷気もどり口から離れた側に配置した際に閉じる穴を、前記カバーの前部の前記冷気もどり口に近い側に設けたことを特徴とする請求項１〜請求項５のいずれかに記載の冷蔵庫。
【請求項７】
前記カバーに湿気を透過する透湿材を設けたことを特徴とする請求項１〜請求項６のいずれかに記載の冷蔵庫。
【発明の詳細な説明】
【０００１】
【発明の属する技術分野】
本発明は、野菜室を設けた冷蔵庫に関するものである。
【０００２】
【従来の技術】
従来のこの種の冷蔵庫は特開平７−１９０５８８号公報に記載されているように、低温室に３区画以上に形成された区画と、冷気の吹き出し口と連通し、前記各区画へ冷気を導くように冷気を振り分ける冷却ダクトとを備えてなるものである。
【０００３】
【発明が解決しようとする課題】
上記特開平７−１９０５８８号公報に開示されている冷蔵庫では、冷却ダクトの形成および固定方式や、前記冷却ダクトと冷気の吹き出し口との連通方式が、複雑で実用性や量産性に欠け、コスト的にも割高で、また、冷却ダクトの冷気の吹き出し口近傍は、場合により、貯蔵品（特に野菜類）が冷えすぎ、凍結するという課題があった。
【０００４】
【課題を解決するための手段】
本発明の冷蔵庫は上記のような課題を解決したもので、
野菜室内に配されて前後に出し入れされるケースと、
前記ケースの上面を覆うカバーと、
前記カバー上に設けられるとともに冷気が流通する野菜室用冷気通路と、
前記野菜室の背壁の左右方向の略中央に設けられて前記野菜室用冷気通路に冷気を吐出する冷気吐き出し口と、
前記野菜室の後方の左右方向の一端に設けられて前記野菜室用冷気通路を流通する冷気が流入する冷気もどり口と、
前記冷気吐き出し口から前方に延びて前記カバー上に配されるとともに後部で回動自在に支持される風向板と、
を備え、前記風向板の回動によって、前記冷気吐き出し口から吐出される冷気の風向を前記冷気もどり口に近い側と前記冷気もどり口から離れた側とに可変することを特徴とするものである。
この構成により、風向板の向きを変えることで、野菜室用冷気通路内の各所の冷気流量を変えることができ、各々独立した部屋の周辺に異なる量の冷気を容易に供給できる。このため、風向板の向きによって各部屋の温度を異なる温度に設定したり、ケース内温度がどの位置のおいてもほぼ同様の温度に設定することが容易に選べる実用性に富んだ野菜室を持つ冷蔵庫が得られる。
【０００５】
また本発明は、上記構成の冷蔵庫において、前記風向板を前記カバーの前部まで延設し、前記風向板の前端を把持して前記風向板を回動できることを特徴とするものである。
【０００６】
また本発明は、上記構成の冷蔵庫において、前記ケースを左右に分割する隔壁を設けたことを特徴とするものである。
【０００７】
また本発明は、上記構成の冷蔵庫において、前記風向板は前記冷気もどり口側の面が凹面から成ることを特徴とするものである。
【０００８】
また本発明は、上記構成の冷蔵庫において、前記冷気吐き出し口の前記冷気もどり口側から前方に延びた冷気逃げ防止壁を有するとともに、前記風向板の後端から所定距離離れて前記風向板の回動中心が設けられ、前記風向板を前記冷気もどり口から離れた側に配したときに前記風向板の後端が前記冷気逃げ防止壁に連続して配置されることを特徴とするものである。
この構成によると、冷気を冷気戻り口と反対側へ流れるように風向板を向けたとき、適度の風向板の移動で、風向板が冷気吐き出し口前方の全体を適度の間隔を持って覆うように位置する。これにより、冷気戻り口と反対側へ風向板を充分に向けられ、カバーの前方の冷気流出域を適度の幅にとれる。このため、風向板で冷気吐き出し口から出る冷気全体を必要最小限の間隔で無理なく捕らえることができ、冷気戻り口と反対側へ冷気吐き出し口から出た直後に速い段階でより効率よく冷気流の方向を変えることができる。従って、冷気戻り口と反対側の広範囲の領域にも効率よく冷気が流れ、野菜室全体に冷気を効率よく流すことができる。
【０００９】
また本発明は、上記各構成の冷蔵庫において、前記風向板を前記冷気もどり口に近い側に配置した際に開いて、前記風向板を前記冷気もどり口から離れた側に配置した際に閉じる穴を、前記カバーの前部の前記冷気もどり口に近い側に設けたことを特徴とするものである。
【００１０】
また本発明は、上記各構成の冷蔵庫において、前記カバーに湿気を透過する透湿材を設けたことを特徴とするものである。
【００１２】
【発明の実施の形態】
以下、本発明の冷蔵庫の実施の形態を図面とともに説明する。
【００１３】
図１は本発明による冷蔵庫の野菜室付近の要部断面図であり、図２は図１に示す野菜室のＡ−Ａ線の要部断面図で、野菜室の各部屋を異なる温度にする時の調湿カバーでの冷気流をあらわす。図３は図１に示す野菜室付近のＢ−Ｂ線の要部断面図で、野菜室の各部屋を異なる温度にする時の冷気流をあらわす。図４は図１に示す野菜室のＡ−Ａ線の要部断面図で、野菜室の各部屋をほぼ同様の温度にする時の調湿カバーでの冷気流をあらわす。図５は図１に示す野菜室付近のＢ−Ｂ線の要部断面図で、野菜室の各部屋をほぼ同様の温度にする時の冷気流をあらわす。図６は図２の冷気穴蓋付近の要部拡大図で、図７は図６のＣ−Ｃ線の要部断面図をあらわし、図８は図６のＤ−Ｄ線の要部断面図をあらわし、図９は図６のＥ−Ｅ線の要部断面図をあらわす。図１０は図４の冷気穴蓋付近の要部拡大図で、図１１は図１０のＦ−Ｆ線の要部断面図をあらわし、図１２は図１０のＧ−Ｇ線の要部断面図をあらわす。
【００１４】
図１において、１は冷蔵庫本体、２は野菜室、３はケースで、上に開口部を設け、上方より貯蔵物の出し入れを行う、特に大型の野菜等の貯蔵物を収納するためのものである。４は隔壁でありケース３を各々独立した部屋に仕切っている。５は冷気吐き出し口でありここから野菜室２へ冷気を送り込んでいる。
【００１５】
６は調湿カバーで前記ケース３および小物ケース７の上方を覆うように野菜室２の上部に位置し、少なくとも一部は湿気を透過する性質を持ち、前記ケース３内および小物ケース７内を一定湿度に保つための蓋の役目をする。なお、小物ケース７は前記ケース３の上部に位置し、小型の野菜類や小さく切った食品等の小型の貯蔵品を収納するためのものである。
【００１６】
８は上部仕切部で野菜室２とその上にある上部貯蔵室とを仕切っており、本図は上部貯蔵室が野菜室２と温度差の少ない冷蔵室であるため、前記上部仕切部８の断熱層を薄くしてある。９は風向板で、上部仕切部８と調湿カバー６の間に位置する。風向板９は、調湿カバー６を冷蔵庫本体１に組み込み後、調湿カバー６にビスにて回動軸９ａを中心に回動自在に取り付けてある。１０は冷気吐き出し口５にある風向板である。
【００１７】
１１は調湿カバー６の前方にスライド可能に取り付けられた操作板である。操作板１１のボス１１ａに風向板９の小判穴９ｂ部をはめ込み、その後ボス１１ａにワッシャ付きビスをねじこみ、操作板１１と風向板９は小判穴９ｂ内で移動可能に連結される。その後、上部仕切部８が冷蔵庫本体１に取り付けられる。
【００１８】
なお、１２はアングルで野菜室扉１３にビスなどにて固着されてあり、ケース３および小物ケース７を保持し、野菜室扉１３を手前にひくことにより、ケース３および小物ケース７を野菜室２内から外部へ引き出すことができる。１４は冷蔵庫内の空気を冷やすための蒸発器、１５はファンおよび駆動モータからなる送風用のファン組品である。
【００１９】
次に野菜室２内の冷気流を本図で説明すると、蒸発器１４で冷やされた冷気は、ファン組品１５にて冷気通路（図示せず）を通り、冷気吐き出し口５より野菜室２へ送り込まれる。野菜室２へ送り込まれた冷気は、調湿カバー６と上部仕切部８との空間を風向板９に従い通過し、調湿カバー６の前方から下へ流れる。
【００２０】
その後、冷気は野菜室扉１３とケース３の空間を通りケース３外部の下方へ流れる。ケース３外部の下を流れた冷気は、冷気もどり口（図示せず）へ流れ込む。この間、冷気はケース３内および小物ケース７内の貯蔵品を間接的に冷却する。なお、冷気吐き出し口５を含む冷気吐き出し口５から冷気もどり口（図３における符号１９）までの野菜室２での冷気流のための通路を野菜室用冷気通路１６とする。
【００２１】
上記冷気もどり口（図３における符号１９）へ流れ込んだ冷気は、その後、蒸発器１４に通じる冷気通路（図示せず）を通り蒸発器１４の下部へ帰る。隔壁４は、小物ケース７があるので、確実に各部屋を仕切るため、Ｌ字型にしてある。
【００２２】
図２は図１に示す野菜室２のＡ−Ａ線の要部断面図で、矢印は野菜室２の各部屋を異なる温度にする時の調湿カバー６での冷気流をあらわす。
【００２３】
風向板９は操作板１１を野菜室前方より操作することで冷気もどり口（図３における符号１９）方向に冷気が多く流れるように配置されている。そのため、冷気吐き出し口５から流れ出た冷気が風向板９に導かれ、調湿カバー６の上部を、冷気もどり口（図３における符号１９）近くにある、もどり側部屋（図３における符号３ａ）方向に集中するように流れる。この間、調湿カバー６を介して、ケース３内および小物ケース７内の貯蔵品は、前記冷気により間接的に冷却される。
【００２４】
通常、冷気もどり口（図３における符号１９）を野菜室２の背壁のコーナー部またはその近くに設け、冷気吐き出し口５を野菜室２の背壁の上部に設けたとき、冷気吐き出し口５からでた冷気は、冷気もどり口（図３における符号１９）の方向へ流れるため、風向板９の当位置と形状は、その冷気流に近いもので、冷気もどり口（図３における符号１９）に向かって凹の風向板９の当形状は、冷気流によるうず流をあまり生じさせないもので、風向を効率よく変えるばかりでなく、静音効果にもよい形状である。
【００２５】
また、調湿カバー６に設けられた穴６ａは、図２における風向板９の調湿カバー６前方側近くに配置され、風向板９による冷気の一部が穴６ａの方向に流れるようになっている。１７は穴６ａを開閉自在にできる冷気穴蓋で、調湿カバー６に掛かり爪にて左右に移動可能に取り付けてある。図２においては、操作板１１に押されて冷気穴蓋１７は風向板９と連動して穴６ａを開いた状態にしてあり、冷気がもどり側部屋（図３における符号３ａ）に流れ込み低温に保つ。
【００２６】
なお、冷気穴蓋１７が風向板９と連動せず、独立して穴６ａを開閉自在にできるようにしておくと、その下にある部屋は、穴６ａの冷気穴蓋１７による開閉によっても、室温の調整が独立してできることは明白である。
【００２７】
また、調湿カバー６側で風向板９の上下方向の端部に冷気すくい壁９ｃ・９ｄが設けられているため、風向板９と調湿カバー６との隙間からの冷気もれが軽減され、効率よく冷気が導かれる。また、当位置の風向板９に対向する調湿カバー６の部分に、シール材を張り付けるか、シール壁を設けるかすると、冷気もれが確実に防がれ、よりいっそう効率よく冷気が導かれることは明白である。また、上記同様の冷気すくい壁を上部仕切部８側で風向板９の上下方向の端部に設けても同様の効果が生じ、シール材・シール壁を風向板９の当位置に対向する上部仕切部８の部分に設けても同様の効果が生じる。
【００２８】
さらに、１０ａは冷気吐き出し口５に設けた風向板で、冷気もどり口（図３における符号１９）と反対方向に冷気流を向けるように配置されている。このため、冷気吐き出し口５から流れ出た冷気の一部が風向板１０ａに導かれ、調湿カバー６の上部を、冷気もどり口（図３における符号１９）と反対方向にある、反もどり側部屋（図３における符号３ｂ）方向に流れ、この部屋を間接的に冷却する。
【００２９】
また、１８は冷気逃げ防止壁であるが、図４の野菜室の各部屋をほぼ同様の温度にする時に役立つ防止壁であり、冷気吐き出し口５から流れでる冷気流を阻害しないよう風向板９の動きもあわせ配置が配慮されている。
【００３０】
また、６ｂ、６ｃは各々湿気を透過する性質をもつ透湿材であり、調湿カバー６に一体に形成されている。ケース３および小物ケース７内が高湿度のとき、前記透湿材６ｂ，６ｃをとおし湿気を各ケース外部へ逃がすため、透湿材６ｂ，６ｃをもつ調湿カバー６をケース３および小物ケース７の上部に覆うよう設けることにより、前記ケース３および小物ケース７内を一定湿度にたもつことができる。
【００３１】
前記透湿材６ｂ，６ｃを冷気流など湿度の低い気体の流れのある所に設けると、その透湿効果は向上するため、透湿材６ｂ，６ｃの透湿能力や前記ケース３および小物ケース７内の設定湿度にあわせ、前記透湿材６ｂ、６ｃの領域を設定すればよい。なお、前記透湿材６ｂ，６ｃを着脱自在に設けると、透湿効果が低下したときの透湿材６ｂ、６ｃの交換が容易にできる。
【００３２】
また、透湿材６ｂ，６ｃのほかにエチレンガスを吸収する性質をもつ部材や活性炭等の臭気吸着剤による部材または単なる穴のみを設けた部材でもよい。また、調湿カバー６はケース３および小物ケース７の上部を覆う形状のものであれば、ある程度の湿度を保つ役目をはたせることは明白である。
【００３３】
図３は野菜室の各部屋を異なる温度にする時の、図１に示す野菜室付近のＢ−Ｂ線の要部断面図であるが、矢印で示された冷気流は、野菜室２を正面から見たときの野菜室２の内部全体での冷気流を示している。冷気吐き出し口５を通って野菜室２に送られた冷気は、調湿カバー６とケース３とで囲まれた貯蔵部周辺を、矢印が示すように分散して流れ、冷気もどり口１９を通り蒸発器へ帰る。
【００３４】
この間、冷気流は風向板９に従い調湿カバー６の上部をもどり側部屋３ａの外側周辺に集中するように流れ、その後もどり側部屋３ａ外側の前方付近および下方付近を通り、冷気もどり口１９へもどるため、もどり側部屋３ａの外側周辺には多くの冷気が流れ、この部を間接的に低温に保つ。
【００３５】
なお、冷気もどり口１９と反対方向にあるケース３周辺の冷気流の少ない側の反もどり側部屋３ｂが、もどり側部屋３ａより高温となることは明白である。また、小物ケース７内は、もどり側部屋３ａや反もどり側部屋３ｂとは異なる温度となる。ここで、隔壁４は２重構造にしてあり、断熱効果をあげている。場合によっては、隔壁４内に断熱材をいれてもよい。また、隔壁４はケース３と一体に形成してもよい。
【００３６】
図４は図１に示す野菜室２のＡ−Ａ線の要部断面図で、矢印は野菜室２の各部屋をほぼ同様の温度にする時の調湿カバー６での冷気流をあらわす。
【００３７】
上記風向板９は操作板１１にて冷気もどり口（図５における符号１９）と反対方向に冷気が多く流れるように配置されている。６ｄは風向板当たりで、風向板９の位置決めのため、調湿カバー６に設けられている。冷気吐き出し口５から流れ出た冷気が風向板９に導かれ、調湿カバー６の上部を反もどり側部屋（図５における符号３ｂ）側に集中するように流れる。この間、調湿カバー６を介して、ケース３内および小物ケース７内の貯蔵品は、前記冷気により間接的に冷却される。
【００３８】
なお、調湿カバー６側で風向板９の上下方向の端部に冷気すくい壁９ｃ・９ｄが設けられているため、風向板９と調湿カバー６との隙間からの冷気もれが軽減され、効率よく冷気が導かれる。また、当位置の風向板９に対向する調湿カバー６の部分に、シール材を張り付けるか、シール壁を設けるかすると、冷気もれが確実に防がれ、よりいっそう効率よく冷気が導かれることは明白である。また、上記同様の冷気すくい壁を上部仕切部８側で風向板９の上下方向の端部に設けても同様の効果が生じ、シール材・シール壁を風向板９の当位置に対向する上部仕切部８の部分に設けても同様の効果が生じる。
【００３９】
特に、風向変換量の大きい冷気吐き出し口５近くの部分に、上記冷気すくい壁・シール材・シール壁を設けると、その効果は大きく、また、この部は回動軸９ａに近く、当風向板９の形状であれば力を加えるアーム部が長いためテコの原理により、シール材追加等による摩擦力の増加は、操作板１１を動かすための力にあまり大きく影響しない。
【００４０】
また、冷気吐き出し口５に設けた風向板１０ａにより、冷気もどり口（図５における符号１９）と反対側に冷気が流れ出るようにあらかじめなっているため、この位置の風向板９で強制的に冷気流を変えるときの冷気流変換を誘引する働きがあり、冷気吐き出し口５から冷気が流れ出た直後に、冷気もどり口（図５における符号１９）と反対側へより効率よく冷気が送ることができ、そのため、野菜室２全体に冷気をより効率よく流すことができる。
【００４１】
また、冷気逃げ防止壁１８は、冷気吐き出し口５の端部と風向板９の端部との間をつなぐように位置し、冷気吐き出し口５から出た冷気を逃がすことなく冷気もどり口（図５における符号１９）と反対側に流す。なお、冷気逃げ防止壁１８にシール材を張り付けると、冷気逃げ防止壁１８と風向板９の間の冷気もれ防止を向上させることは明白である。
【００４２】
さらに、風向板９の回動軸９ａは、風向板９の端より内にあり、冷気吐き出し口５前方の冷気もどり口（図５における符号１９）側に位置するため、冷気を冷気もどり口（図５における符号１９）と反対側へ流れるように風向板９を操作板１１の移動によって向けたとき、適度の冷気吐き出し口５近くの風向板９部分の回動で、風向板９が冷気吐き出し口５前方の全体を冷気流の方向変換のために適度の間隔をもって覆うように位置し、調湿カバー６前方側の風向板９の部分は冷気もどり口（図５における符号１９）と反対側へ充分に向けられるとともに、調湿カバー６の前方部分の冷気流出域を適度の巾にとれるため、一枚の風向板９のみによっても、冷気吐き出し口５からでる冷気全体を無理なく捕らえることができ、冷気もどり口（図５における符号１９）と反対側へより効率よく冷気が送れ、そのため、風向板９一枚にて野菜室２全体に冷気を流すことができる。
【００４３】
また、この風向板９と冷気吐き出し口５と回動軸９ａの関係により設けられた冷気逃げ防止壁１８は、図２における野菜室の各部屋を異なる温度にする時の冷気吐き出し口５から流れでる冷気流を阻害しないような、冷気吐き出し口５を広く開け、冷気吐き出し口５から離れるずつ大きく広がる形状となっている。
【００４４】
なお、上記風向板９の冷気すくい壁９ｃ・９ｄにそれぞれ他の風向板を補助的に設けると、冷気吐き出し口５からでる冷気をより効率よく分散させて調湿カバー６の上部を流せることは明白である。
【００４５】
また、図４においては、冷気穴蓋１７は穴６ａを閉じた状態にしてあり、冷気がもどり側部屋（図５における符号３ａ）には流れ込まないようにしてあるため、流入冷気によるこの部屋の温度低下はない。
【００４６】
図５は、図１に示す野菜室付近のＢ−Ｂ線の要部断面図であるが、矢印で示された冷気流は、野菜室２を正面から見たときの野菜室２の内部全体での冷気流を示している。冷気吐き出し口５を通って野菜室２に送られた冷気は、調湿カバー６とケース３とで囲まれた貯蔵部周辺を、矢印が示すように流れ、冷気もどり口１９を通り蒸発器へ帰る。
【００４７】
この間、冷気流は風向板９に従い調湿カバー６の上部を反もどり側部屋３ｂの外側周辺に集中するように流れ、その後反もどり側部屋３ｂからもどり側部屋３ａに向かってケース３外側の前方付近および下方付近を通り、冷気もどり口１９へもどるため、反もどり側部屋３ｂ・もどり側部屋３ａの外側周辺にはほぼ同様に冷気が流れ、各々の部屋を間接的にほぼ同様の温度に保つ。なお、隔壁４をこの部からはずしケース３の両端のどちらかへ置いておくようにすると、ケース３内の温度はより均一に近づく。
【００４８】
図６は図２の冷気穴蓋１７付近の要部拡大図で、冷気穴蓋１７は風向板９とこの位置で連動して穴６ａを開いた状態にしてあり、２点鎖線で表示のコイルばね２０は冷気穴蓋１７を操作板１１の方向に動かすように働いている。また、調湿カバー６に掛かり爪にて左右に移動可能に取り付けてある冷気穴蓋１７は、この位置より右には移動しないようにしてあり、操作板１１および風向板９の位置決めの役目にもなっている。
【００４９】
また、操作板１１には板ばね２１がビスにて取り付けてある。操作板１１にある板ばね２１の凸部２１ａは、調湿カバー６にある操作板１１を案内するための案内リブ２２に設けた凹部２２ａにはまり込んでおり、冷気穴蓋１７に取り付けてあるコイルばね２０の力に打ち勝っている。なお、操作板１１を左に移動させる場合、ツマミ部１１ｂをつまんで移動させる。
【００５０】
図７において、２２、２３は調湿カバー６にある操作板１１を案内するための案内リブである。また、１１ｃは板ばね２１を操作板１１に取り付けるためのボスである。
【００５１】
図８において、１１ｄは操作板１１の一部で案内リブ２２・２３を下から抱え込んでいて、操作板１１を上方に外れないようにしている。なお、１１ｂは操作板１１のツマミ部、２２ａは案内リブ２２に設けた凹部、２１ａは操作板１１にある板ばね２１の凸部、９ａは風向板９にある小判穴、１１ａは小判穴９ａに差し込まれたボスで、ボス１１ａには抜け止めにワッシャ付きビスがねじこまれている。
【００５２】
図９において、１７ａは冷気穴蓋１７の蓋穴で、調湿カバー６の穴６ａと重なり、この状態では、冷気が流れ込むようになっている。また、１７ｂは調湿カバー６に掛かる掛かり爪である。
【００５３】
図１０は図４の冷気穴蓋付近の要部拡大図で、図１０において、点線の小判穴は調湿カバー６の穴６ａで、冷気穴蓋１７の蓋穴１７ａとは、ずれており、穴６ａは冷気穴蓋１７でふさがれている状態にある。また、調湿カバー６に掛かり爪にて左右に移動可能に取り付けてある冷気穴蓋１７は、この位置より左には移動しないようにしてある。２点鎖線で表示のコイルばね２０は冷気穴蓋１７を左の方向に引くように働いている。
【００５４】
図１１において、６ｅはコイルばね２０を調湿カバー６に取り付けるボスで、ボス６ｅにはコイルばね２０の外れ止めにワッシャ付きビスがねじこまれている。なお、１７は冷気穴蓋である。
【００５５】
図１２において、１７ｂはコイルばね２０を冷気穴蓋１７に取り付けるボスで、ボス１７ｂにはコイルばね２０の外れ止めにワッシャ付きビスがねじこまれている。なお、ボス１７ｂは調湿カバー６を貫通しビスの掛かりしろを確保している。
【００５６】
なお、風向板９を複数枚設けた場合であっても、上記のそれぞれの効果がより効率よく得られることは明白である。また、冷気すくい壁９ｃ・９ｄが冷気吐き出し口５の上下の壁の外側に重なるようにしておくと、冷気もれがより軽減されることも明白である。
【００５７】
【発明の効果】
本発明の冷蔵庫は上記のような構成であるから、本発明は、風向板の向きを変えることで、野菜室用冷気通路内の各所の冷気流量を変えることができ、各々独立した部屋の周辺に異なる量の冷気を容易に供給できるため、風向板の向きによって、各部屋の温度を異なる温度に設定したり、ケース内温度がどの位置においてもほぼ同様の温度に設定することが、容易に選べる実用性に富んだ野菜室をもつ冷蔵庫が得られる。
【００５８】
また、本発明は、野菜室用冷気通路内の長い領域に風向板が設けられ、その風向板の向きを変えることで、野菜室用冷気通路内の各所の冷気流量をより確実に変えることができ、各々独立した部屋の周辺に異なる量の冷気を容易により確実に供給できるため、風向板の向きによって、各部屋の温度を異なる温度に設定したり、ケース内温度がどの位置においてもほぼ同様の温度に設定することが、容易により確実に選べる実用性に富んだ野菜室をもつ冷蔵庫が得られる。
【００５９】
また、本発明は、風向板を野菜室前方から操作できるため、使用者が各部屋の温度設定を、野菜室前方から容易に変えることができる野菜室をもつ冷蔵庫が得られる。
【００６０】
また、本発明は、風向板と冷気穴蓋が連動することにより、風向板が調湿カバーの冷気穴に向かって冷気を送るよう向きを変えたとき、同時に調湿カバーを穴あき状態にでき、調湿カバーに冷気穴をもつ野菜室の部屋に冷気が流れ込み、この部屋がよりいっそう低温になり、野菜以外の例えばワインやビール等の貯蔵にも適した低温部屋を野菜室にもつ冷蔵庫が得られる。
【００６１】
また、本発明は、冷気すくい壁で冷気流を確実に捕らえることができ、冷気流の方向をより確実に変えることができる。
【００６２】
また、本発明は、冷気吐き出し口から出る冷気の一部を冷気もどり口と反対方向に流すため、野菜室を高温低温の各部屋に分けるとき、比較的に高温となる部屋側へ冷気の一部を確実におくることができ、この部屋の冷却に役立ち、また、野菜室をほぼ同様の温度に設定するとき、冷気吐き出し口から冷気が流れ出た直後に、冷気もどり口と反対側へより効率よく冷気が送ることができ、そのため、野菜室全体に冷気をより効率よく流すことができる。
【００６３】
また、本発明は、冷気の逃げが防止でき、冷気吐き出し口からでる冷気のすべてが風向板の流したい方向に流れ、より確実に設定通りの部屋の温度が得られる。
【００６４】
また、本発明は、冷気を冷気もどり口と反対側へ流れるように風向板を向けたとき、適度の風向板の移動で、風向板が冷気吐き出し口前方の全体を適度の間隔をもって覆うように位置し、冷気もどり口と反対側へ風向板を充分に向けられ、調湿カバーの前方の冷気流出域を適度の巾にとれるため、風向板で冷気吐き出し口からでる冷気全体を、必要最小限の間隔で無理なく捕らえることができ、冷気もどり口と反対側へ冷気吐き出し口からでた直後に早い段階で、より効率よく冷気流の方向を変えることができ、冷気もどり口と反対側の広範囲の領域にも効率よく冷気が流せ、そのため、野菜室全体に冷気を効率よく流すことができる。
【図面の簡単な説明】
【図１】本発明の冷蔵庫の実施の形態を示す野菜室付近の要部断面図である。
【図２】図１に示す野菜室の各部屋を異なる温度にする時の調湿カバーでの冷気流をあらわす図１の野菜室のＡ−Ａ線の要部断面図である。
【図３】図１に示す野菜室の各部屋を異なる温度にする時の冷気流をあらわす図１の野菜室付近のＢ−Ｂ線の要部断面図である。
【図４】図１に示す野菜室の各部屋をほぼ同様の温度にする時の調湿カバーでの冷気流をあらわす図１の野菜室のＡ−Ａ線の要部断面図でである。
【図５】図１に示す野菜室の各部屋をほぼ同様の温度にする時の冷気流をあらわす図１の野菜室付近のＢ−Ｂ線の要部断面図である。
【図６】図２の冷気穴蓋付近の要部拡大図である。
【図７】図６のＣ−Ｃ線の要部断面図である。
【図８】図６のＤ−Ｄ線の要部断面図である。
【図９】図６のＥ−Ｅ線の要部断面図である。
【図１０】図４の冷気穴蓋付近の要部拡大図である。
【図１１】図１０のＦ−Ｆ線の要部断面図である。
【図１２】図１０のＧ−Ｇ線の要部断面図である。
【符号の説明】
２  野菜室
３  ケース
４  隔壁
５  冷気吐き出し口
６  調湿カバー
８  上部仕切部
９  風向板
９ａ  回動軸
９ｃ  冷気すくい壁
９ｄ  冷気すくい壁
１０ａ  風向板
１６  野菜室用冷気通路
１７  冷気穴蓋
１８  冷気逃げ防止壁
１９  冷気もどり口
【図１】
0003617595.tif 000002
【図２】
0003617595.tif 000003
【図３】
0003617595.tif 000004
【図４】
0003617595.tif 000005
【図５】
0003617595.tif 000006
【図６】
0003617595.tif 000007
【図７】
0003617595.tif 000008
【図８】
0003617595.tif 000009
【図９】
0003617595.tif 000010
【図１０】
0003617595.tif 000011
【図１１】
0003617595.tif 000012
【図１２】
0003617595.tif 000013